(57)【要約】【課題】ユーザが他の作業を行っている場合であっても、表示部に表示されているＵＩへの意図しない入力が認識されることを抑制することができる入力装置を提供する。【解決手段】車両に配置される表示部３１が表示するＵＩ（Ｕｓｅｒ  Ｉｎｔｅｒｆａｃｅ）を操作するための入力を行う入力装置１００であって、ユーザによるタッチ入力を受け付けるタッチセンサと、タッチセンサへのタッチ入力が、複数本の指によるタッチである場合、または、複数回のタップである場合、表示部３１に表示されている複数の領域のうち、指の本数、または、タップの回数に対応した領域を選択する制御部１６と、を備える。【選択図】図３
2018097794.tif 000002
【特許請求の範囲】
【請求項１】
車両に配置される表示部が表示するＵＩ（Ｕｓｅｒ  Ｉｎｔｅｒｆａｃｅ）を操作するための入力を行う入力装置であって、
ユーザによるタッチ入力を受け付けるタッチセンサと、
前記タッチセンサへの前記タッチ入力が、複数本の指によるタッチである場合、または、複数回のタップである場合、前記表示部の表示領域を構成する複数の領域のうち、前記指の本数、または、前記タップの回数に対応した前記領域を選択する制御部と、を備える
入力装置。
【請求項２】
前記制御部は、
前記タッチセンサに入力された前記タッチ入力が複数本の前記指によるタッチである場合、または、複数回の前記タップである場合、その後に前記タッチセンサに入力されたジェスチャの種類と、当該ジェスチャの種類に応じて表示させる画面を示すアイコンとを対応付けたジェスチャガイドを、前記表示部のうち選択された前記領域に表示させる
請求項１に記載の入力装置。
【請求項３】
前記制御部は、
前記タッチセンサへの前記タッチ入力が、複数本の前記指による第１ジェスチャ入力、または、複数回の前記タップの後の第２ジェスチャ入力である場合、前記表示部に表示されている第１表示画面から、前記第１表示画面とは異なる第２表示画面へ切り替えて前記表示部に表示させる切替処理を行う
請求項１または２に記載の入力装置。
【請求項４】
前記タッチセンサは、前記車両に搭乗しているユーザが前記車両のシートに座っている状態で、前記ユーザの手が届く範囲の位置であって、前記車両のステアリングを除く位置に配置される第１タッチセンサを有し、
前記制御部は、前記第１タッチセンサへの前記タッチ入力が前記第１ジェスチャ入力である場合、前記切替処理を行う
請求項３に記載の入力装置。
【請求項５】
前記制御部は、前記第１タッチセンサに入力された前記第１ジェスチャ入力の前記指の本数が第１の本数である場合、前記車両が有する車載機器への設定を調整するための操作を示す操作ガイド画面を前記第２表示画面として前記表示部に表示させる
請求項４に記載の入力装置。
【請求項６】
さらに、
前記第１タッチセンサに隣接して配置され、ダイヤル入力を受け付けるダイヤルスイッチを備え、
前記制御部は、前記ダイヤルスイッチを操作すると調整される前記車載機器への前記設定を示す画面を、前記操作ガイド画面として前記表示部に表示させる
請求項５に記載の入力装置。
【請求項７】
前記制御部は、前記第１タッチセンサに入力された前記第１ジェスチャ入力のジェスチャの種類に応じて、前記操作ガイド画面で示される前記操作の種類を切り替えると共に、前記ダイヤルスイッチを操作することで調整される設定の種類を切り替える
請求項６に記載の入力装置。
【請求項８】
前記制御部は、
前記第１の本数の前記指での前記第１ジェスチャ入力のうち、前記タッチセンサ上を所定の方向になぞる入力を受け付け、
受け付けた前記第１ジェスチャ入力が示す前記所定の方向に応じて、前記操作ガイド画面で示される前記操作の種類を切り替えると共に、前記ダイヤルスイッチを操作することで調整される設定の種類を切り替える
請求項７に記載の入力装置。
【請求項９】
前記制御部は、
前記第１タッチセンサに入力された前記第１ジェスチャ入力の前記指の本数が前記第１の本数とは異なる第２の本数である場合、前記車載機器への前記ユーザによる操作を受け付ける操作画面を前記第２表示画面として前記表示部に表示させる
請求項５から８のいずれか１項に記載の入力装置。
【請求項１０】
前記制御部は、
前記第２の本数の前記指での前記第１ジェスチャ入力のうち、前記タッチセンサ上を所定の方向またはその反対方向になぞる入力を受け付け、
受け付けた前記第１ジェスチャ入力が前記所定の方向である場合、複数種類の前記操作画面を予め設定された順番に切り替え、
受け付けた前記第１ジェスチャ入力が前記反対方向である場合、前記複数種類の前記操作画面を前記順番とは反対の順番に切り替える
請求項９に記載の入力装置。
【請求項１１】
前記タッチセンサは、前記車両のステアリングに配置される第２タッチセンサを有し、
前記制御部は、前記第２タッチセンサへの前記タッチ入力が前記第２ジェスチャ入力である場合、前記切替処理を行う
請求項３から９のいずれか１項に記載の入力装置。
【請求項１２】
さらに、
前記表示部を備える
請求項１から１１のいずれか１項に記載の入力装置。
【請求項１３】
車両に配置される表示部が表示するＵＩ（Ｕｓｅｒ  Ｉｎｔｅｒｆａｃｅ）を操作するための入力を行う入力装置による入力方法であって、
前記入力装置が備えるタッチセンサへのユーザによるタッチ入力が、複数本の指によるタッチであるか否か、または、複数回のタップであるか否かを判定し、
前記タッチ入力が複数本の前記指によるタッチであるか、または、複数回の前記タップであると判定した場合、前記表示部の表示領域を構成する複数の領域のうち、前記指の本数、または、前記タップの回数に対応した前記領域を選択する
入力方法。
【発明の詳細な説明】
【技術分野】
【０００１】
本発明は、車両に配置される表示部が表示するＵＩ（Ｕｓｅｒ  Ｉｎｔｅｒｆａｃｅ）を操作するための入力を行う入力装置、及び、その入力方法に関する。
【背景技術】
【０００２】
従来、ディスプレイ上の画像が複数に分割されて表示される際に、入力装置としてのタッチパネルにおいて検出した複数の指の位置に基づいて、当該位置が右寄りの位置であれば右画面、左寄りの位置であれば左画面が操作対象画面として決定されることが開示されている（例えば、特許文献１参照）。
【先行技術文献】
【特許文献】
【０００３】
【特許文献１】国際公開第２０１５／４８４８号
【発明の概要】
【発明が解決しようとする課題】
【０００４】
しかしながら、特許文献１の技術では、ユーザは、車両の運転中においては、前方を注視しながら車両を運転することになる。このため、ユーザが運転中にタッチパネルへの指の位置を意識することは困難であり、タッチパネルに表示されているＵＩを誤選択してしまうおそれがあった。
【０００５】
そこで、本発明は、ユーザが他の作業を行っている場合であっても、表示部に表示されているＵＩへの意図しない入力が認識されることを抑制することができる入力装置を提供する。
【課題を解決するための手段】
【０００６】
本発明の一態様に係る入力装置は、車両に配置される表示部が表示するＵＩ（Ｕｓｅｒ  Ｉｎｔｅｒｆａｃｅ）を操作するための入力を行う入力装置であって、ユーザによるタッチ入力を受け付けるタッチセンサと、前記タッチセンサへの前記タッチ入力が、複数本の指によるタッチである場合、または、複数回のタップである場合、前記表示部の表示領域を構成する複数の領域のうち、前記指の本数、または、前記タップの回数に対応した前記領域を選択する制御部と、を備える。
【０００７】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００８】
本発明の入力装置は、ユーザが他の作業を行っている場合であっても、表示部に表示されているＵＩへの意図しない入力が認識されることを抑制することができる。
【図面の簡単な説明】
【０００９】
【図１】実施の形態に係る入力装置及び入力装置が配置されている車両の車室の構成の一例を示す図である。
【図２】第１入力部を車両の進行方向の前方から見た場合の外観斜視図である。
【図３】実施の形態に係る自動車に搭載される入力装置の機能的な構成の一例を示すブロック図である。
【図４】表示部に表示される第１表示画面の一例を示す図である。
【図５】強調表示されたジェスチャガイドを含む画面の一例を示す図である。
【図６】強調表示されたジェスチャガイドを含む画面の他の一例を示す図である。
【図７】冷暖房の温度設定を調整するための操作ガイド画面の一例を示す図である。
【図８】音楽プレーヤの選曲を行うための操作ガイド画面の一例を示す図である。
【図９】カーナビゲーションにおける自宅へ帰る設定を行うための操作ガイド画面の一例を示す図である。
【図１０】カーナビゲーションにおけるステータス画面の一例を示す図である。
【図１１】空調機器の風量設定を調整するための操作ガイド画面の一例を示す図である。
【図１２】音楽プレーヤを操作するための操作画面の一例を示す図である。
【図１３】空調機器を操作するための操作画面の一例を示す図である。
【図１４】ホーム画面の一例を示す図である。
【図１５】実施の形態に係る入力装置におけるアクティブ処理を示すフローチャートである。
【図１６】実施の形態に係る入力装置における強調表示処理を示すフローチャートである。
【図１７】実施の形態に係る入力装置におけるジェスチャ入力判定処理を示すフローチャートである。
【図１８】実施の形態に係る入力装置における切替処理を示すフローチャートである。
【図１９】実施の形態に係る入力装置における操作ガイド画面に切り替える処理の詳細を示すフローチャートである。
【図２０】実施の形態に係る入力装置における操作画面に切り替える処理の詳細を示すフローチャートである。
【図２１】変形例１に係る入力装置及び入力装置が配置されている車両の車室の構成の一例を示す図である。
【図２２】変形例１に係る自動車に搭載される入力装置の機能的な構成の一例を示すブロック図である。
【発明を実施するための形態】
【００１０】
本発明の一態様に係る入力装置は、車両に配置される表示部が表示するＵＩ（Ｕｓｅｒ  Ｉｎｔｅｒｆａｃｅ）を操作するための入力を行う入力装置であって、ユーザによるタッチ入力を受け付けるタッチセンサと、前記タッチセンサへの前記タッチ入力が、複数本の指によるタッチである場合、または、複数回のタップである場合、前記表示部の表示領域を構成する複数の領域のうち、前記指の本数、または、前記タップの回数に対応した前記領域を選択する制御部と、を備える。
【００１１】
これによれば、制御部は、表示部の表示領域を構成する複数の領域のうち、指の本数、またはタップの回数に対応した領域を選択するので、ユーザが運転中にタッチセンサへの指の位置を意識することなく、的確に意図した領域を選択できる。このため、ユーザが他の作業を行っている場合であっても、表示部に表示されているＵＩへの意図しない入力が認識されることを抑制することができる。
【００１２】
また、前記制御部は、前記タッチセンサに入力された前記タッチ入力が複数本の前記指によるタッチである場合、または、複数回の前記タップである場合、その後に前記タッチセンサに入力されたジェスチャの種類と、当該ジェスチャの種類に応じて表示させる画面を示すアイコンとを対応付けたジェスチャガイドを、前記表示部のうち選択された前記領域に表示させてもよい。
【００１３】
これにより、ユーザに、ジェスチャガイドがアクティブであることを示すことができ、この後に入力するジェスチャによって表示部に表示される画面を、当該画面が表示される前にユーザに認識させることができる。このため、ユーザは、所望の画面を表示させるためのジェスチャ入力を適切に選択でき、所望の画面を容易に表示させることができる。
【００１４】
また、前記制御部は、前記タッチセンサへの前記タッチ入力が、複数本の前記指による第１ジェスチャ入力、または、複数回の前記タップの後の第２ジェスチャ入力である場合、前記表示部に表示されている第１表示画面から、前記第１表示画面とは異なる第２表示画面へ切り替えて前記表示部に表示させる切替処理を行ってもよい。
【００１５】
これによれば、制御部は、複数本の指による第１ジェスチャ入力、または、複数回のタップの後の第２ジェスチャ入力によって、切替処理を行うため、意図しない入力が認識されること抑制することができる。
【００１６】
また、前記タッチセンサは、前記車両に搭乗しているユーザが前記車両のシートに座っている状態で、前記ユーザの手が届く範囲の位置であって、前記車両のステアリングを除く位置に配置される第１タッチセンサを有し、前記制御部は、前記第１タッチセンサへの前記タッチ入力が前記第１ジェスチャ入力である場合、前記切替処理を行ってもよい。
【００１７】
このため、ユーザは、第１タッチセンサへの第１ジェスチャ入力を容易に行うことができる。
【００１８】
また、前記制御部は、前記第１タッチセンサに入力された前記第１ジェスチャ入力の前記指の本数が第１の本数である場合、前記車両が有する車載機器への設定を調整するための操作を示す操作ガイド画面を前記第２表示画面として前記表示部に表示させてもよい。
【００１９】
このため、表示部に操作ガイド画面を容易に表示させることができる。
【００２０】
また、さらに、前記第１タッチセンサに隣接して配置され、ダイヤル入力を受け付けるダイヤルスイッチを備え、前記制御部は、前記ダイヤルスイッチを操作すると調整される前記車載機器への前記設定を示す画面を、前記操作ガイド画面として前記表示部に表示させてもよい。
【００２１】
このため、表示部にダイヤルスイッチの操作ガイド画面を容易に表示させることができる。
【００２２】
また、前記制御部は、前記第１タッチセンサに入力された前記第１ジェスチャ入力のジェスチャの種類に応じて、前記操作ガイド画面で示される前記操作の種類を切り替えると共に、前記ダイヤルスイッチを操作することで調整される設定の種類を切り替えてもよい。
【００２３】
このため、ダイヤルスイッチの機能を容易に切り替えることができる。
【００２４】
また、前記制御部は、前記第１の本数の前記指での前記第１ジェスチャ入力のうち、前記タッチセンサ上を所定の方向になぞる入力を受け付け、受け付けた前記第１ジェスチャ入力が示す前記所定の方向に応じて、前記操作ガイド画面で示される前記操作の種類を切り替えると共に、前記ダイヤルスイッチを操作することで調整される設定の種類を切り替えてもよい。
【００２５】
このため、複数の操作ガイド画面のうち所望の操作ガイド画面を表示部に容易に表示させることができる。
【００２６】
また、前記制御部は、前記第１タッチセンサに入力された前記第１ジェスチャ入力の前記指の本数が前記第１の本数とは異なる第２の本数である場合、前記車載機器への前記ユーザによる操作を受け付ける操作画面を前記第２表示画面として前記表示部に表示させてもよい。
【００２７】
このため、表示部に操作画面を容易に表示させることができる。
【００２８】
また、前記制御部は、前記第２の本数の前記指での前記第１ジェスチャ入力のうち、前記タッチセンサ上を所定の方向またはその反対方向になぞる入力を受け付け、受け付けた前記第１ジェスチャ入力が前記所定の方向である場合、複数種類の前記操作画面を予め設定された順番に切り替え、受け付けた前記第１ジェスチャ入力が前記反対方向である場合、前記複数種類の前記操作画面を前記順番とは反対の順番に切り替えてもよい。
【００２９】
このため、複数の操作画面のうち所望の操作画面を表示部に容易に表示させることができる。
【００３０】
また、前記タッチセンサは、前記車両のステアリングに配置される第２タッチセンサを有し、前記制御部は、前記第２タッチセンサへの前記タッチ入力が前記第２ジェスチャ入力である場合、前記切替処理を行ってもよい。
【００３１】
このため、ユーザは、ステアリングに配置される第２タッチセンサへの第２ジェスチャ入力を容易に行うことができる。よって、ユーザが運転中であっても意図しない入力が認識されることを抑制できる。
【００３２】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【００３３】
以下、本発明の一態様に係る入力装置及び入力方法について、図面を参照しながら具体的に説明する。
【００３４】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３５】
（実施の形態）
［１−１．入力装置の構成］
まず、図１を参照しながら、実施の形態に係る入力装置及び入力装置が配置されている車両の車室の構成について説明する。図１は、実施の形態に係る入力装置及び入力装置が配置されている車両の車室の構成の一例を示す図である。なお、以下では、車両の走行方向を基準として、前方向、後方向、右方向、および左方向を規定する。また、車両の車輪が地面に付いている状態において、上方向、下方向、水平方向、および垂直方向を規定する。
【００３６】
図１に示す自動車１（車両の一例）の車室には、入力装置を構成する第１入力部１０と、車載機器３０とが搭載されている。また、自動車１の車室には、さらに、シフトレバー４０、及び、ステアリング５０が配置されている。ここで、入力装置は、自動車１などの車両に搭載される車載機器３０の表示部３１が表示するＵＩ（Ｕｓｅｒ  Ｉｎｔｅｒｆａｃｅ）を操作するための入力を行う装置である。
【００３７】
第１入力部１０は、車載機器３０の表示部３１に表示されているＵＩを操作するための入力インタフェースである。ユーザは、ＵＩを操作することで、自動車１に搭載されている車載機器３０を制御することができる。
【００３８】
第１入力部１０は、シフトレバー４０の後方に配置される。つまり、第１入力部１０は、自動車１に搭乗しているユーザがシート６０に座っている状態で、当該ユーザの手が届く範囲の位置であって、ステアリング５０を除く位置に配置される。ユーザである運転者は、左手でシフトレバー４０の後方に配置されている第１入力部１０に対して入力を行うことにより、車載機器３０を操作することができる。なお、第１入力部１０は、当該ユーザの手が届く範囲の位置であって、ステアリング５０を除く位置に配置されていれば上記の位置に配置されていなくてもよい。なお、図１は、右ハンドルの自動車を例としているが、左ハンドルの自動車であっても左右が反対になるだけであるため、右ハンドルの自動車の場合と同様のことが言える。
【００３９】
ステアリング５０は、自動車１を操舵するためのものであり、リング形状を有するリム５１と、リム５１の内周面に一体的に形成された略Ｔ字状のスポーク５２と、スポーク５２の中央部に配置されたホーンスイッチ（図示せず）を覆うホーンスイッチカバー５３とを有している。第１入力部１０の構成については後で詳述する。
【００４０】
車載機器３０は、例えば、カーナビゲーションシステムや、光ディスクを再生するためのオーディオ機器、映像再生機器などである。車載機器３０は、表示部３１を有する。表示部３１は、カーナビゲーションを行うための地図、再生された映像、車載機器３０を操作するためのＵＩ、他の車載機器を制御するためのＵＩ等を表示する。表示部３１は、例えば、液晶ディスプレイ、有機ＥＬ（Ｅｌｅｃｔｒｏ  Ｌｕｍｉｎｅｓｃｅｎｃｅ）ディスプレイなどにより実現される。車載機器３０は、スピーカ３２に接続され、音声をスピーカ３２に出力してもよい。また、他の車載機器としては、例えば、空調機器などがあり、入力装置における入力によって、当該空調機器の動作が制御されるように構成されていてもよい。
【００４１】
次に、第１入力部１０のハードウェア構成について図２を用いて説明する。
【００４２】
図２は、第１入力部を車両の進行方向の前方から見た場合の外観斜視図である。
【００４３】
第１入力部１０は、第１タッチセンサ１１を有する。第１入力部１０は、さらに、ダイヤルスイッチ１２、決定スイッチ１３、パームレスト１４、第１スイッチ１５ａ、第２スイッチ１５ｂ及び第３スイッチ１５ｃを有していてもよい。
【００４４】
第１タッチセンサ１１は、ユーザによるタッチ入力を受け付けるセンサであり、例えば、タッチパッドである。つまり、第１タッチセンサ１１は、ユーザの身体の一部（例えば指）によりタッチされた位置を検出するセンサである。本実施の形態では、第１タッチセンサ１１は、水平方向に平行に配置されている。
【００４５】
なお、第１タッチセンサは、垂直方向に平行に配置されていてもよい。この場合の第１タッチセンサは、例えば、後方に面するように配置されていてもよい。
【００４６】
ダイヤルスイッチ１２は、第１タッチセンサ１１の後方に配置され、垂直方向に沿っている回転軸で回転するダイヤルスイッチである。つまり、ダイヤルスイッチ１２は、第１タッチセンサに隣接して配置され、ダイヤル入力を受け付けるダイヤルスイッチである。ダイヤルスイッチ１２は、第１タッチセンサ１１の上面よりも上方に突出している略円柱形状を有する。ダイヤルスイッチ１２は、所定の角度単位で回転するように構成されている。つまり、ユーザは、ダイヤルスイッチ１２を回転させることで段階的な調整を容易にできる。なお、ダイヤルスイッチ１２は、第１タッチセンサ１１の後方に配置されていなくてもよく、前方に配置されていてもよいし、右側に配置されていてもよいし、左側に配置されていてもよい。
【００４７】
決定スイッチ１３は、ダイヤルスイッチ１２の上部に配置される押圧式のスイッチである。
【００４８】
パームレスト１４は、第１入力部１０が備える第１タッチセンサ１１、ダイヤルスイッチ１２、決定スイッチ１３、第１スイッチ１５ａ、第２スイッチ１５ｂ及び第３スイッチ１５ｃへの入力をユーザが行うときに、ユーザの手のひらを配置するための構造物である。パームレスト１４は、具体的には、ダイヤルスイッチ１２の左右の側面を露出させた状態で、ダイヤルスイッチ１２の上方を覆う、上に凸のアーチ状の構造物である。パームレスト１４は、ダイヤルスイッチ１２の上方に開口が設けられており、開口から決定スイッチ１３を押すことができるように構成されている。
【００４９】
第１スイッチ１５ａ、第２スイッチ１５ｂ及び第３スイッチ１５ｃは、パームレスト１４の前側の側面に、左右方向に並んで配置されている押圧式のスイッチである。
【００５０】
ユーザは、第１入力部１０が備える、タッチセンサや各種スイッチへの入力を行うことにより、車載機器３０の表示部３１に表示されているＵＩを操作できる。
【００５１】
［１−２．入力装置の機能構成］
次に、入力装置の機能的な構成について説明する。
【００５２】
図３は、実施の形態に係る自動車に搭載される入力装置の機能的な構成の一例を示すブロック図である。
【００５３】
図３に示すように、入力装置１００は、第１入力部１０と、制御部１６とを備える。
【００５４】
第１入力部１０は、第１タッチセンサ１１、ダイヤルスイッチ１２、決定スイッチ１３、第１スイッチ１５ａ、第２スイッチ１５ｂ、及び第３スイッチ１５ｃを有する。第１タッチセンサ１１、ダイヤルスイッチ１２、決定スイッチ１３、第１スイッチ１５ａ、第２スイッチ１５ｂ、及び第３スイッチ１５ｃへの入力が行われると、当該入力を示す入力信号が制御部１６に出力される。
【００５５】
制御部１６は、第１入力部１０により出力された入力信号に応じて、車載機器３０を制御するための制御信号を送信する。具体的には、制御部１６は、第１タッチセンサ１１へのタッチ入力が、複数本の指によるタッチである場合、または、複数回のタップである場合、車載機器３０の表示部３１の表示領域を構成する複数の領域Ｒ１〜Ｒ３のうち、指の本数、または、タップの回数に対応した領域を選択する。そして、制御部１６は、第１タッチセンサ１１へのタッチ入力が、複数本の指による第１ジェスチャ入力、または、複数回のタップの後の第２ジェスチャ入力である場合、表示部３１に表示されている第１表示画面から、第１表示画面とは異なる第２表示画面へ切り替えて表示部３１に表示させる切り替え処理を行う。
【００５６】
制御部１６は、例えば、図４に示すように、車載機器３０の表示部３１に第１表示画面を表示させている。図４は、表示部に表示される第１表示画面の一例を示す図である。
【００５７】
制御部１６は、図４に示すように、ジェスチャガイド２１０、２２０と、操作画面２３０と含む表示画面２００を、車載機器３０の表示部３１に表示させる。なお、図４における、表示部３１の操作画面２３０が表示されている第３領域Ｒ３には、制御部１６は、ユーザによる第１入力部１０への入力に応じて、操作画面２３０とは異なる他の操作画面や操作ガイド画面を表示する。
【００５８】
第１ジェスチャガイド２１０は、表示部３１の表示領域を構成する複数（ここでは３つ）の領域Ｒ１〜Ｒ３のうち左側の第１領域Ｒ１に表示される。第１ジェスチャガイド２１０は、第１の本数の指による複数種類のジェスチャ２１１〜２１４と、複数種類のジェスチャ２１１〜２１４のそれぞれに対応付けられ、対応する種類のジェスチャの入力が行われれば、次に第２表示画面として表示させる操作ガイド画面の種類を示すアイコン２１５〜２１８とを含む。複数種類のジェスチャ２１１〜２１４は、第１の本数の指で、第１タッチセンサ１１上を所定の方向になぞる入力を示す。第１の本数は、例えば、２本である。
【００５９】
具体的には、ジェスチャ２１１は、第１タッチセンサ１１上を２本指で前方向になぞる入力を示す。ジェスチャ２１２は、第１タッチセンサ１１上を２本指で右方向になぞる入力を示す。ジェスチャ２１３は、第１タッチセンサ１１上を２本指で後方向になぞる入力を示す。ジェスチャ２１４は、第１タッチセンサ１１上を２本指で左方向になぞる入力を示す。
【００６０】
なお、第１タッチセンサが後方に面するように垂直方向に平行に配置されている場合は、ジェスチャ２１１は、第１タッチセンサ１１上を２本指で上方向になぞる入力を示し、ジェスチャ２１３は、第１タッチセンサ１１上を２本指で下方向になぞる入力を示すことになる。
【００６１】
また、アイコン２１５は、ジェスチャ２１１に対応付けられており、ジェスチャ２１１により示されるジェスチャ入力が行われた場合、自動車１の暖房、冷房及び換気を行う空調機器のうち冷暖房の温度設定を調整するための操作ガイド画面を表示部３１に表示させることを示すアイコンである。
【００６２】
アイコン２１６は、ジェスチャ２１２に対応付けられており、ジェスチャ２１２により示されるジェスチャ入力が行われた場合、音楽プレーヤの選曲を行うための操作ガイド画面を表示部３１に表示させることを示すアイコンである。
【００６３】
アイコン２１７は、ジェスチャ２１３に対応付けられており、ジェスチャ２１３により示されるジェスチャ入力が行われた場合、カーナビゲーションにおける自宅へ帰る設定を行うための操作ガイド画面を表示部３１に表示させることを示すアイコンである。
【００６４】
アイコン２１８は、ジェスチャ２１４に対応付けられており、ジェスチャ２１４により示されるジェスチャ入力が行われた場合、自動車１の空調機器の風量設定を調整するための操作ガイド画面を表示部３１に表示させることを示すアイコンである。
【００６５】
第２ジェスチャガイド２２０は、表示部３１の表示領域を構成する３つの領域Ｒ１〜Ｒ３のうちの第１領域Ｒ１の右隣の第２領域Ｒ２に表示される。ジェスチャガイド２２０は、第２の本数（例えば３本）による複数種類のジェスチャ２２１、２２２と、複数種類のジェスチャ２２１、２２２のそれぞれに対応付けられ、対応する種類のジェスチャの入力が行われれば、次に第２表示画面として表示させる操作画面の種類を示すアイコン２２３〜２２５とを含む。また、第２ジェスチャガイド２２０は、フォーカス表示２２６を含んでいてもよい。フォーカス表示２２６は、当該フォーカス表示２２６が、現在、フォーカスしているアイコンに対応する操作画面が、表示部３１の表示領域を構成する３つの領域Ｒ１〜Ｒ３のうちの右側の第３領域Ｒ３に表示されている操作画面であることを示す。複数種類のジェスチャ２２１、２２２は、第２の本数の指で、第１タッチセンサ１１上を所定の方向またはその反対方向になぞる入力を示す。第２の本数は、例えば、３本である。
【００６６】
具体的には、ジェスチャ２２１は、第１タッチセンサ１１上を３本指で前方向になぞる入力を示す。ジェスチャ２２２は、第１タッチセンサ１１上を３本指で後方向になぞる入力を示す。なお、この場合、ジェスチャ２２１、２２２は、前後方向のそれぞれになぞる入力としたが、左右方向のそれぞれになぞる入力としてもよい。
【００６７】
なお、第１タッチセンサが後方に面するように垂直方向に平行に配置されている場合は、ジェスチャ２２１は、第１タッチセンサ１１上を３本指で上方向になぞる入力を示し、ジェスチャ２２３は、第１タッチセンサ１１上を３本指で下方向になぞる入力を示すことになる。
【００６８】
また、アイコン２２３〜２２５は、選択された場合に、第３領域Ｒ３に表示される操作画面を示す。つまり、制御部１６は、フォーカス表示２２６によりフォーカスされているアイコンにより示される操作画面を第３領域Ｒ３に表示させる。また、アイコン２２３〜２２５は、複数種類の操作画面を表示させるための、予め設定された順番に並んでいる。
【００６９】
アイコン２２３は、フォーカス表示２２６によりフォーカスされた場合に、音楽プレーヤへのユーザによる操作を受け付ける操作画面を第３領域Ｒ３に表示させることを示すアイコンである。
【００７０】
アイコン２２４は、フォーカス表示２２６によりフォーカスされた場合（つまり、図４の場合）に、カーナビゲーションへのユーザによる操作を受け付ける操作画面２３０を第３領域Ｒ３に表示させることを示すアイコンである。
【００７１】
アイコン２２５は、フォーカス表示２２６によりフォーカスされた場合に、空調機器へのユーザによる操作を受け付ける操作画面を第３領域Ｒ３に表示させることを示すアイコンである。
【００７２】
なお、第１の本数を２本とし、第２の本数を３本として説明しているが、第１の本数と第２の本数とは互いに異なる複数の本数であれば、上記の組合せに限らない。つまり、第１の本数及び第２の本数は、それぞれ、３本及び２本の組合せ、２本及び４本の組合せ、４本及び２本の組合せなどであってもよい。もちろん、第１の本数及び第２の本数のいずれかが５本である組合せであってもよい。
【００７３】
操作画面２３０は、第３領域Ｒ３に表示される。操作画面２３０は、図４では、カーナビゲーションへのユーザによる操作を受け付けるための画面である。なお、上述したように、第３領域Ｒ３には、第１タッチセンサ１１に入力されたジェスチャの種類に対応する操作画面及び操作ガイド画面のいずれかが表示される。
【００７４】
図３の制御部１６の説明に戻り、ジェスチャガイド２１０、２２０をアクティブ表示させるアクティブ処理について説明する。
【００７５】
制御部１６は、第１タッチセンサ１１に入力されたタッチ入力が複数本の指によるタッチである場合、ジェスチャガイド２１０、２２０を表示部３１に強調して表示させてもよい。
【００７６】
具体的には、制御部１６は、第１タッチセンサ１１に入力されたタッチ入力が２本の指によるタッチである場合、２本の指のタッチに対応した第１領域Ｒ１を選択するが、この際に、制御部１６は、図５に示すように、第１領域Ｒ１の外周に沿った枠２１９を表示させることで強調した第１ジェスチャガイド２１０Ａを含む表示画面２００Ａを表示部３１のうち選択された第１領域Ｒ１に表示させてもよい。これにより、ユーザに、第１ジェスチャガイド２１０で示されるジェスチャがアクティブであることを示すことができ、この後に入力するジェスチャによって第３領域Ｒ３に表示される操作ガイド画面をユーザに認識させることができる。
【００７７】
また、制御部１６は、第１タッチセンサ１１に入力されたタッチ入力が３本の指によるタッチである場合、３本の指のタッチに対応した第２領域Ｒ２を選択するが、この際に、制御部１６は、図６に示すように、第２領域Ｒ２の外周に沿った枠２２７を表示させることで強調した第２ジェスチャガイド２２０Ｂを含む表示画面２００Ｂを表示部３１のうち選択された第２領域Ｒ２に表示させてもよい。これにより、ユーザに、第２ジェスチャガイド２２０で示されるジェスチャがアクティブであることを示すことができ、この後に入力するジェスチャによって第３領域Ｒ３に表示される操作画面をユーザに認識させることができる。
【００７８】
なお、制御部１６は、第１タッチセンサ１１に入力された複数本の指によるタッチがされていない（つまりタッチ入力がオフになった）場合、所定時間経過後に強調して表示させた第１ジェスチャガイド２１０Ａまたは第２ジェスチャガイド２２０Ｂを元に戻してもよい。つまり、制御部１６は、この場合、アクティブ化されていたジェスチャガイド２１０Ａ、２２０Ｂを非アクティブ化し、それぞれ、ジェスチャガイド２１０、２２０を表示させる。
【００７９】
次に、第１の本数（本実施の形態では２本）の指で第１タッチセンサ１１にジェスチャ入力が行われた場合の制御部１６の処理について説明する。
【００８０】
制御部１６は、第１タッチセンサ１１に入力されたジェスチャ入力の指の本数が第１の本数である場合、自動車１が有する車載機器３０への設定を調整するための操作を示す操作ガイド画面を第２表示画面として表示部３１に表示させてもよい。具体的には、制御部１６は、ダイヤルスイッチ１２を操作すると調整される車載機器３０への設定を示す画面を、操作ガイド画面として表示部３１に表示させてもよい。制御部１６は、第１タッチセンサ１１に入力されたジェスチャ入力のジェスチャの種類に対応する種類の操作ガイド画面に切り替えると共に、ダイヤルスイッチ１２を操作することで調整される設定の種類を切り替えてもよい。
【００８１】
２本指のジェスチャ入力と、当該ジェスチャ入力によって切り替えられる操作ガイド画面との具体例について、図７〜図１１を用いて説明する。
【００８２】
図７は、冷暖房の温度設定を調整するための操作ガイド画面の一例を示す図である。図８は、音楽プレーヤの選曲を行うための操作ガイド画面の一例を示す図である。図９は、カーナビゲーションにおける自宅へ帰る設定を行うための操作ガイド画面の一例を示す図である。図１０は、カーナビゲーションにおけるステータス画面の一例を示す図である。図１１は、空調機器の風量設定を調整するための操作ガイド画面の一例を示す図である。
【００８３】
制御部１６は、２本指によるジェスチャ２１１〜２１４が第１タッチセンサ１１に入力されると、操作ガイド画面２３１〜２３４を、表示部３１の第３領域Ｒ３に表示されている操作画面２３０に重畳して表示させる。なお、この場合、制御部１６は、操作ガイド画面２３１〜２３４を操作画面２３０に重畳して表示させなくてもよく、操作画面２３０の代わりに操作ガイド画面２３１〜２３４を表示させてもよい。つまり、制御部１６は、第１タッチセンサ１１へのタッチ入力が、２本の指によるジェスチャ入力である場合、表示部３１に表示されている表示画面２００から、表示画面２００Ｃ〜２００Ｇに切り替えて表示部３１に表示させる切替処理を行う。なお、以下の説明において、重畳表示させることにより操作ガイド画面２３１〜２３４を呼び出す処理についても、切替処理であると定義する。
【００８４】
また、制御部１６は、第１の本数の指でのジェスチャ入力のうち、第１タッチセンサ１１上を所定の方向になぞる入力を受け付けた場合、受け付けたジェスチャ入力が示す所定の方向に対応する種類の操作ガイド画面に切り替えると共に、ダイヤルスイッチ１２を操作することで調整される設定の種類を切り替えてもよい。
【００８５】
具体的には、制御部１６は、第１タッチセンサ１１上を２本指で前方向になぞる入力がされると、図７に示すように、第１操作ガイド画面２３１を表示部３１に表示させる。また、制御部１６は、第１タッチセンサ１１上を２本指で右方向になぞる入力がされると、図８に示すように、第２操作ガイド画面２３２を表示部３１に表示させる。また、制御部１６は、第１タッチセンサ１１上を２本指で後方向になぞる入力がされると、図９に示すように、第３操作ガイド画面２３３を表示部３１に表示させる。また、制御部１６は、第１タッチセンサ１１上を２本指で左方向になぞる入力がされると、図１１に示すように、第４操作ガイド画面２３４を表示部３１に表示させる。
【００８６】
第１操作ガイド画面２３１は、図７に示すように、自動車１の暖房、冷房及び換気を行う空調機器のうち冷暖房の温度設定を調整するための操作ガイド画面である。
【００８７】
第１操作ガイド画面２３１が表示部３１に表示されている状態で、ユーザがダイヤルスイッチ１２を左方向に回すと、制御部１６は、ダイヤルスイッチ１２が所定の角度だけ回転する毎に冷暖房の温度設定を例えば０．５度ずつ減少させる。反対にユーザがダイヤルスイッチ１２を右方向に回すと、制御部１６は、ダイヤルスイッチ１２が所定の角度だけ回転する毎に冷暖房の温度設定を例えば０．５度ずつ増加させる。つまり、制御部１６は、ダイヤルスイッチ１２への回転入力の回転方向及び回転角度に応じて、冷暖房の温度設定を調整する。
【００８８】
第２操作ガイド画面２３２は、図８に示すように、音楽プレーヤの選曲を行うための操作ガイド画面である。
【００８９】
第２操作ガイド画面２３２が表示部３１に表示されている状態で、ユーザがダイヤルスイッチ１２を左方向に回すと、制御部１６は、ダイヤルスイッチ１２が所定の角度だけ回転する毎にリスト表示されている複数の曲名のうち現在再生されている曲の前の曲を順番に選曲する。反対にユーザがダイヤルスイッチ１２を右方向に回すと、制御部１６は、ダイヤルスイッチ１２が所定の角度だけ回転する毎にリスト表示されている複数の曲名のうち現在再生されている曲の次の曲を順番に選曲する。つまり、制御部１６は、ダイヤルスイッチ１２への回転入力の回転方向及び回転角度に応じて、選曲を調整する。
【００９０】
第３操作ガイド画面２３３は、図９に示すように、カーナビゲーションにおける自宅へ帰る設定を行うための操作ガイド画面である。
【００９１】
第３操作ガイド画面２３３が表示部３１に表示されている状態で、ユーザがダイヤルスイッチ１２を左方向に回すと、制御部１６は、自宅の住所をカーナビゲーションの目的地に設定する。その後、制御部１６は、図１０に示すステータス画面２３３ａを表示部３１に表示させ、一定時間経過後に当該ステータス画面２３３ａをフェードアウトさせ、操作画面２３０を表示部３１に表示させる。反対に、ユーザがダイヤルスイッチ１２を右方向に回すと、制御部１６は、第３操作ガイド画面２３３をフェードアウトさせ、操作画面２３０を表示部３１に表示させる。
【００９２】
第４操作ガイド画面２３４は、図１１に示すように、自動車１の空調機器の風量設定を調整するための操作ガイド画面である。
【００９３】
第４操作ガイド画面２３４が表示部３１に表示されている状態で、ユーザがダイヤルスイッチ１２を左方向に回すと、制御部１６は、ダイヤルスイッチ１２が所定の角度だけ回転する毎に空調機器の風量を例えば１目盛り分の風量ずつ減少させる。反対にユーザがダイヤルスイッチ１２を右方向に回すと、制御部１６は、ダイヤルスイッチ１２が所定の角度だけ回転する毎に空調機器の風量を例えば１目盛り分の風量ずつ増加させる。つまり、制御部１６は、ダイヤルスイッチ１２への回転入力の回転方向及び回転角度に応じて、空調機器の風量設定を調整する。
【００９４】
次に、第１の本数とは異なる第２の本数（本実施の形態では３本）の指で第１タッチセンサ１１にジェスチャ入力が行われた場合の制御部１６の処理について説明する。
【００９５】
制御部１６は、第１タッチセンサ１１に入力されたジェスチャ入力の指の本数が第１の本数とは異なる第２の本数（例えば３本）である場合、車載機器３０へのユーザによる操作を受け付ける操作画面を第２表示画面として表示部３１に表示させてもよい。制御部１６は、第２の本数（例えば３本）の指でのジェスチャ入力のうち、第１タッチセンサ１１上を所定の方向またはその反対方向になぞる入力を受け付ける。そして、制御部１６は、受け付けたジェスチャ入力が所定の方向である場合、複数種類の操作画面を予め設定された順番に切り替えてもよい。また、制御部１６は、受け付けたジェスチャ入力が所定の方向とは反対方向である場合、複数種類の操作画面を予め設定された順番とは反対の順番に切り替えてもよい。
【００９６】
３本指のジェスチャ入力と、当該ジェスチャ入力が行われた場合に切り替えられる操作画面との具体例について、図４、図１２及び図１３を用いて説明する。図１２は、音楽プレーヤを操作するための操作画面の一例を示す図である。図１３は、空調機器を操作するための操作画面の一例を示す図である。
【００９７】
制御部１６は、３本指による所定方向（前方向）へのジェスチャ２２１が第１タッチセンサ１１に入力されると、フォーカス表示２２６を、現在フォーカスされているアイコン２２４の所定方向に対応する上方向側に配置されているアイコン２２３に移動させると共に、フォーカス表示２２６が移動した先のアイコン２２３に対応する操作画面２３０Ｈ（図１２参照）を表示部３１に表示させる。また、制御部１６は、３本指による所定方向とは反対方向（後方向）へのジェスチャ２２２が第１タッチセンサ１１に入力されると、フォーカス表示２２６を、現在フォーカスされているアイコン２２４の反対方向に対応する下方向側に配置されているアイコン２２５に移動させると共に、フォーカス表示２２６が移動した先のアイコン２２５に対応する操作画面２３０Ｉ（図１３参照）を表示部に表示させる。
【００９８】
上記の場合、制御部１６は、表示部３１の第３領域に表示されている操作画面２３０の代わりに次の操作画面２３０Ｈまたは操作画面２３０Ｉを表示部３１に表示させることで、表示部３１に表示されている表示画面２００から、表示画面２００Ｈ、２００Ｉに切り替えて表示部３１に表示させる切替処理を行う。なお、他のアイコンからアイコン２２４に向かう方向の３本指によるジェスチャ２２１が第１タッチセンサ１１に入力されると、フォーカス表示２２６を、現在フォーカスされているアイコンから、入力された方向に対応する方向側に配置されているアイコン２２４に移動させると共に、アイコン２２４に対応する操作画面２３０（図４参照）を表示部３１に表示させる。
【００９９】
操作画面２３０は、図４に示すように、カーナビゲーションを操作するための操作画面である。操作画面２３０が表示部３１の第３領域Ｒ３に表示されている状態で、ユーザが１本の指で第１タッチセンサ１１上をなぞるジェスチャを行うと、制御部１６は、指の本数が１本であることに対応した、３つの領域Ｒ１〜Ｒ３のうち第３領域Ｒ３を選択すると共に、例えば、ユーザにより入力されたジェスチャの方向に、表示部３１に表示させている地図をスクロールして表示させる。
【０１００】
操作画面２３０Ｈは、図１２に示すように、音楽プレーヤを操作するための操作画面である。操作画面２３０Ｈが表示部３１の第３領域Ｒ３に表示されている状態で、ユーザが１本の指で第１タッチセンサ１１上を左右方向になぞるジェスチャを行うと、制御部１６は、指の本数が１本であることに対応した、３つの領域Ｒ１〜Ｒ３のうち第３領域Ｒ３を選択すると共に、例えば、複数の曲が組となったアルバム単位またはプレイリスト単位で切り替えを行う。
【０１０１】
操作画面２３０Ｉは、図１３に示すように、空調機器を操作するための操作画面である。操作画面２３０Ｉが表示部３１に表示されている状態で、ユーザがダイヤルスイッチ１２を回転させると、制御部１６は、例えば、回転方向及び回転角度にしたがって、操作画面２３０Ｉ上の複数のアイコンのうちの１つをフォーカスし、フォーカスしたアイコンを選択できる表示を行う。
【０１０２】
また、ホーム画面２３０Ｊを表示部３１に表示させるための、予め定められた入力が第１入力部１０にされた場合、制御部１６は、図１４に示すようなホーム画面２３０Ｊを含む表示画面２００Ｊを表示部３１に表示させてもよい。ホーム画面２３０Ｊが表示部３１に表示されている状態で、ユーザがダイヤルスイッチ１２を回転させると、制御部１６は、ホーム画面２３０Ｊ上の１〜６で示される各アイコンに割り当てられた、「音楽プレーヤ」、「空調機器」、「カーナビゲーション」などの各操作画面２３０、２３０Ｈ、２３０Ｊに切り替えてもよい。
【０１０３】
なお、制御部１６は、例えば、所定のプログラムを実行するプロセッサと、当該所定のプログラムを記憶しているメモリとにより実現されてもよいし、専用回路により実現されてもよい。制御部１６は、例えば、ＥＣＵ（Ｅｌｅｃｔｒｏｎｉｃ  Ｃｏｎｔｒｏｌ  Ｕｎｉｔ）により実現されてもよい。
【０１０４】
［１−３．動作］
次に、入力装置１００の動作について、図１５〜図２０を用いて説明する。
【０１０５】
まず、アクティブ処理について、図１５及び図１６を用いて説明する。
【０１０６】
図１５は、実施の形態に係る入力装置におけるアクティブ処理を示すフローチャートである。図１６は、実施の形態に係る入力装置における強調表示処理を示すフローチャートである。
【０１０７】
制御部１６は、第１タッチセンサ１１に複数本の指によるタッチがされているか否かを判定する（Ｓ１１）。
【０１０８】
制御部１６は、第１タッチセンサ１１に複数本の指によるタッチがされていると判定した場合（Ｓ１１でＹｅｓ）、指の本数に対応した第１領域Ｒ１、または第２領域Ｒ２を選択し、ジェスチャガイド２１０、またはジェスチャガイド２２０の強調表示処理を行う（Ｓ１２）。
【０１０９】
制御部１６は、第１タッチセンサ１１に複数本の指によるタッチがされていないと判定した場合（Ｓ１１でＮｏ）、ステップＳ１１を繰り返す。つまり、制御部１６は、第１タッチセンサ１１に複数本の指によるタッチがされるまで待機する。なお、１本指によるタッチに基づく第３領域Ｒ３の選択処理は、図１５のフローチャートとは別のフローチャート（図示せず）により実行される。
【０１１０】
次に、制御部１６は、第１タッチセンサ１１にタッチしている指によるジェスチャ入力の判定を行う（Ｓ１３）。そして、制御部１６は、第１タッチセンサ１１にタッチしている指の本数が変化したか否かを判定する（Ｓ１４）。
【０１１１】
制御部１６は、第１タッチセンサ１１にタッチしている指の本数が変化したと判定した場合（Ｓ１４でＹｅｓ）、第１タッチセンサ１１に複数本の指によるタッチがされているか否かを判定する（Ｓ１５）。一方で、制御部１６は、第１タッチセンサ１１にタッチしている指の本数が変化していないと判定した場合（Ｓ１４でＮｏ）、ステップＳ１３に戻り、ステップＳ１３以降の処理を繰り返す。つまり、制御部１６は、第１タッチセンサ１１にタッチしている指の本数が変化するまでジェスチャ入力の判定を繰り返す。
【０１１２】
制御部１６は、第１タッチセンサ１１に複数本の指によるタッチがされていないと判定した場合（Ｓ１５でＮｏ）、ステップＳ１２で強調表示させたジェスチャガイドを終了し（Ｓ１６）、強調表示を元に戻す。
【０１１３】
制御部１６は、第１タッチセンサ１１に複数本の指によるタッチがされていると判定した場合（Ｓ１５でＹｅｓ）、ステップＳ１２に戻る。
【０１１４】
ここで、ステップＳ１２の強調表示処理の詳細について、図１６を用いて説明する。
【０１１５】
制御部１６は、第１タッチセンサ１１にタッチされた指が２本であるか３本であるかを判定する（Ｓ２１）。
【０１１６】
制御部１６は、第１タッチセンサ１１にタッチされた指が２本であると判定した場合（Ｓ２１で２本）、図５で示すように強調表示させた第１ジェスチャガイド２１０Ａを表示部３１に表示させる（Ｓ２２）。
【０１１７】
一方で、制御部１６は、第１タッチセンサ１１にタッチされた指が３本であると判定した場合（Ｓ２１で３本）、図６で示すように強調表示させた第２ジェスチャガイド２２０Ｂを表示部３１に表示させる（Ｓ２３）。
【０１１８】
次に、ジェスチャ入力判定処理及び切替処理について説明する。
【０１１９】
図１７は、実施の形態に係る入力装置におけるジェスチャ入力判定処理を示すフローチャートである。
【０１２０】
制御部１６は、第１タッチセンサ１１に複数本の指によるジェスチャ入力がされたか否かを判定する（Ｓ３１）。
【０１２１】
制御部１６は、第１タッチセンサ１１に複数本の指によるジェスチャ入力がされたと判定した場合（Ｓ３１でＹｅｓ）、表示部３１に表示されている第１表示画面から切り替えて、第１表示画面とは異なる第２表示画面を表示部３１に表示させる切替処理を行う（Ｓ３２）。
【０１２２】
制御部１６は、第１タッチセンサ１１に複数本の指によるジェスチャ入力がされていないと判定した場合（Ｓ３１でＮｏ）、ジェスチャ入力判定処理を終了する。
【０１２３】
ここで、ステップＳ３２の切替処理の詳細について、図１８を用いて説明する。
【０１２４】
図１８は、実施の形態に係る入力装置における切替処理を示すフローチャートである。
【０１２５】
制御部１６は、第１タッチセンサ１１におけるジェスチャ入力の指の本数が２本であるか３本であるかを判定する（Ｓ４１）。
【０１２６】
制御部１６は、ジェスチャ入力の指の本数が２本であると判定した場合（Ｓ４１で２本）、操作ガイド画面２３１〜２３４のいずれかに切り替える処理を行う（Ｓ４２）。
【０１２７】
制御部１６は、ジェスチャ入力の指の本数が３本であると判定した場合（Ｓ４１で３本）、操作画面に切り替える処理を行う（Ｓ４３）。
【０１２８】
次に、ステップＳ４２の操作ガイド画面に切り替える処理の詳細について、図１９を用いて説明する。
【０１２９】
図１９は、実施の形態に係る入力装置における操作ガイド画面に切り替える処理の詳細を示すフローチャートである。
【０１３０】
制御部１６は、ジェスチャ入力のジェスチャの方向を判定する（Ｓ５１）。
【０１３１】
制御部１６は、ジェスチャ入力のジェスチャの方向が上方向であると判定した場合、図７に示す第１操作ガイド画面２３１を表示部３１に表示させる（Ｓ５２）と共に、ダイヤルスイッチ１２の機能を、第１操作ガイド画面２３１で示されている冷暖房の温度設定を調整するための機能に設定する（Ｓ５３）。
【０１３２】
制御部１６は、ジェスチャ入力のジェスチャの方向が右方向であると判定した場合、図８に示す第２操作ガイド画面２３２を表示部３１に表示させる（Ｓ５４）と共に、ダイヤルスイッチ１２の機能を、第２操作ガイド画面２３２で示されている音楽プレーヤの選曲を調整するための機能に設定する（Ｓ５５）。
【０１３３】
制御部１６は、ジェスチャ入力のジェスチャの方向が下方向であると判定した場合、図９に示す第３操作ガイド画面２３３を表示部３１に表示させる（Ｓ５６）と共に、ダイヤルスイッチ１２の機能を、第３操作ガイド画面２３３で示されているカーナビゲーションにおける自宅へ帰る設定を行うための機能に設定する（Ｓ５７）。
【０１３４】
制御部１６は、ジェスチャ入力のジェスチャの方向が左方向であると判定した場合、図１１に示す第４操作ガイド画面２３４を表示部３１に表示させる（Ｓ５８）と共に、ダイヤルスイッチ１２の機能を、第４操作ガイド画面２３４で示されている空調機器の風量設定を調整するための機能に設定する（Ｓ５９）。
【０１３５】
次に、ステップＳ４３の操作画面に切り替える処理の詳細について、図２０を用いて説明する。
【０１３６】
図２０は、実施の形態に係る入力装置における操作画面に切り替える処理の詳細を示すフローチャートである。
【０１３７】
制御部１６は、ジェスチャ入力のジェスチャの方向が、上方向であるか下方向であるかを判定する（Ｓ６１）。
【０１３８】
制御部１６は、ジェスチャ入力のジェスチャの方向が下方向であると判定した場合（Ｓ６１で下方向）、予め定められた複数の操作画面の順番（つまり、アイコン２２３〜２２５の並びによって示される順番）において、現在表示されている操作画面の次の操作画面を表示部３１に表示させる（Ｓ６２）。例えば、制御部１６は、図４に示す操作画面２３０が表示されている場合、操作画面２３０の次の操作画面２３０Ｉ（図１３）を表示部３１に表示させる。
【０１３９】
制御部１６は、ジェスチャ入力のジェスチャの方向が上方向であると判定した場合（Ｓ６１で上方向）、予め定められた複数の操作画面の順番において、現在表示されている操作画面の前の操作画面を表示部３１に表示させる（Ｓ６３）。例えば、制御部１６は、図４に示す操作画面２３０が表示されている場合、操作画面２３０の前の操作画面２３０Ｈ（図１２）を表示部３１に表示させる。
【０１４０】
［１−４．効果など］
本実施の形態に係る入力装置１００によれば、自動車１に配置される表示部３１に表示されるＵＩ（Ｕｓｅｒ  Ｉｎｔｅｒｆａｃｅ）を操作するための入力を行う入力装置１００であって、第１タッチセンサ１１と、制御部１６とを備える。第１タッチセンサ１１は、ユーザによるタッチ入力を受け付ける。制御部１６は、第１タッチセンサ１１へのタッチ入力が、複数本の指によるタッチである場合、表示部３１に表示されている複数の領域のうち、指の本数に対応した領域を選択する。つまり、制御部１６は、表示部３１の表示領域を構成する複数の領域Ｒ１〜Ｒ３のうち、指の本数に対応した領域を選択するため、ユーザが運転中に第１タッチセンサ１１への指の位置を意識することなく、的確に意図した領域を選択できる。
【０１４１】
また、入力装置１００において、制御部１６は、第１タッチセンサ１１へのタッチ入力が、複数本の指によるジェスチャ入力である場合、表示部３１に表示されている第１表示画面から切り替えて、第１表示画面とは異なる第２表示画面を表示部３１に表示させる切替処理を行う。つまり、制御部１６は、複数本の指によるジェスチャ入力によって、切替処理を行うため、意図しない入力が認識されることを抑制することができる。
【０１４２】
また、入力装置１００において、制御部１６は、第１タッチセンサ１１に入力されたタッチ入力が複数本の指によるタッチである場合、複数種類のジェスチャ２１１〜２１４、２２１、２２２と、複数種類のジェスチャ２１１〜２１４、２２１、２２２のそれぞれに対応付けられるアイコン２１５〜２１８、２２３〜２２５とを含むジェスチャガイド２１０、２２０を表示部３１に強調して表示させる。アイコン２１５〜２１８、２２３〜２２５は、対応する種類のジェスチャの入力が行われれば、次に第２表示画面として表示させる画面の種類を示すアイコンである。
【０１４３】
これにより、ユーザに、ジェスチャガイド２１０、２２０がアクティブであることを示すことができ、この後に入力するジェスチャによって表示部３１に表示される画面を、当該画面が表示される前にユーザに認識させることができる。このため、ユーザは、所望の画面を表示させるためのジェスチャ入力を適切に選択でき、所望の画面を容易に表示させることができる。
【０１４４】
また、入力装置１００において、タッチセンサは、自動車１に搭乗しているユーザが自動車１のシート６０に座っている状態で、ユーザの手が届く範囲の位置であって、自動車１のステアリング５０を除く位置に配置される第１タッチセンサ１１を有する。制御部１６は、第１タッチセンサ１１へのタッチ入力がジェスチャ入力である場合、切替処理を行う。このため、ユーザは、第１タッチセンサ１１へのジェスチャ入力を容易に行うことができる。
【０１４５】
また、入力装置１００において、制御部１６は、第１タッチセンサ１１に入力されたジェスチャ入力の指の本数が第１の本数（例えば２本）である場合、自動車１が有する車載機器３０への設定を調整するための操作を示す操作ガイド画面２３１〜２３４を第２表示画面として表示部３１に表示させる。このため、表示部３１に操作ガイド画面２３１〜２３４を容易に表示させることができる。
【０１４６】
また、入力装置１００は、さらに、第１タッチセンサ１１に隣接して配置され、ダイヤル入力を受け付けるダイヤルスイッチ１２を備える。制御部１６は、ダイヤルスイッチ１２を操作すると調整される車載機器３０への設定を示す画面を、操作ガイド画面２３１〜２３４として表示部３１に表示させる。このため、表示部３１にダイヤルスイッチ１２の操作ガイド画面２３１〜２３４を容易に表示させることができる。
【０１４７】
また、入力装置１００において、制御部１６は、第１タッチセンサ１１に入力されたジェスチャ入力のジェスチャの種類に対応する種類の操作ガイド画面２３１〜２３４を切り替えると共に、ダイヤルスイッチ１２を操作することで調整される設定の種類を切り替える。このため、ダイヤルスイッチ１２の機能を容易に切り替えることができる。
【０１４８】
また、入力装置１００において、制御部１６は、第１の本数（例えば２本）の指でのジェスチャ入力が第１タッチセンサ１１上を所定の方向になぞる入力を受け付けた場合、ジェスチャ入力が示す所定の方向に対応する種類の操作ガイド画面２３１〜２３４を切り替えると共に、ダイヤルスイッチ１２を操作することで調整される設定の種類を切り替える。このため、複数の操作ガイド画面２３１〜２３４のうち所望の操作ガイド画面を表示部３１に容易に表示させることができる。
【０１４９】
また、入力装置１００において、制御部１６は、第１タッチセンサ１１に入力されたジェスチャ入力の指の本数が第１の本数（例えば２本）とは異なる第２の本数（例えば３本）である場合、車載機器へのユーザによる操作を受け付ける操作画面２３０、２３０Ｈ、２３０Ｉを第２表示画面として表示部３１に表示させる。このため、表示部３１に操作画面２３０、２３０Ｈ、２３０Ｉを容易に表示させることができる。
【０１５０】
また、入力装置１００において、制御部１６は、第２の本数（例えば３本）の指でのジェスチャ入力のうち、第１タッチセンサ１１上を所定の方向またはその反対方向になぞる入力を受け付けた場合において、受け付けたジェスチャ入力が所定の方向である場合、複数種類の操作画面２３０、２３０Ｈ、２３０Ｉを予め設定された順番に切り替える。また、制御部１６は、受け付けたジェスチャ入力が反対方向である場合、複数種類の操作画面２３０、２３０Ｈ、２３０Ｉを順番とは反対の順番に切り替える。このため、複数の操作画面２３０、２３０Ｈ、２３０Ｉのうち所望の操作画面を表示部３１に容易に表示させることができる。
【０１５１】
［１−５．変形例］
上記実施の形態では、タッチセンサとして、自動車１のステアリング５０を除く位置に配置される第１タッチセンサ１１を用いるとしたが、これに限らない。例えば、図２１および図２２に示すように、自動車１Ａのステアリング５０に配置される第２タッチセンサ２１を含む第２入力部２０備える入力装置１００Ａを採用してもよい。
【０１５２】
図２１は、変形例１に係る入力装置及び入力装置が配置されている車両の車室の構成の一例を示す図である。図２２は、変形例１に係る自動車に搭載される入力装置の機能的な構成の一例を示すブロック図である。
【０１５３】
変形例１に係る入力装置１００Ａは、実施の形態の入力装置１００と比較して、第２入力部２０の構成、及び、制御部１６Ａの機能のみが異なるため、第２入力部２０の説明を行い、その他の構成の説明は省略する。
【０１５４】
第２入力部２０は、ステアリング５０に配置される。第２入力部２０は、第２タッチセンサ２１を有するスイッチである。第２入力部２０は、例えばステアリング５０が有するスポーク５２に配置されている。
【０１５５】
運転者は、ステアリング５０のリム５１を握る右手の指で第２入力部２０に対して入力を行うことにより、車載機器３０を操作することができる。
【０１５６】
第２タッチセンサ２１は、ユーザの身体の一部（例えば指）によりタッチされた位置を検出するセンサである。第２タッチセンサ２１への入力が行われると、当該入力を示す入力信号が制御部１６Ａに出力される。
【０１５７】
制御部１６Ａは、第２タッチセンサ２１へのタッチ入力が複数回のタップである場合、表示部３１の表示領域を構成する複数の領域Ｒ１〜Ｒ３のうち、タップの回数に対応した領域を選択する。そして、制御部１６Ａは、第２タッチセンサ２１へのタッチ入力が、複数回のタップの後の第２ジェスチャ入力である場合、表示部３１に表示されている第１表示画面から切り替えて、第１表示画面とは異なる第２表示画面を表示部３１に表示させる切替処理を行う。表示領域の選択処理、および切替処理の詳細は、実施の形態と同様であるため、説明を省略する。
【０１５８】
制御部１６Ａは、第２タッチセンサ２１に入力されたタッチ入力が複数回のタップである場合、ジェスチャガイドを表示部３１に強調して表示させてもよい。例えば、制御部１６Ａは、第２タッチセンサ２１に入力されたタッチ入力が２回のタップである場合、第１ジェスチャガイド２１０のように、４方向へのジェスチャを示すジェスチャガイドを表示部３１に強調して表示させてもよい。また、例えば、制御部１６Ａは、第２タッチセンサ２１に入力されたタッチ入力が３回のタップである場合、第２ジェスチャガイド２２０のように、２方向へのジェスチャを示すジェスチャガイドを表示部３１に強調して表示させてもよい。
【０１５９】
つまり、ステアリング５０に配置される第２タッチセンサ２１の場合には、制御部１６Ａは、複数本の指によるタッチ入力の代わりに、複数回のタップ入力を表示領域の選択処理のための入力として受け付ける。このように、複数本の指によるタッチ入力が困難な位置に配置されているタッチセンサにおいても、複数回のタップ入力を表示領域の選択処理のための入力として認識するため、的確に意図した領域を選択できる。ゆえに、意図しない入力が認識されることを抑制することができる。
【０１６０】
なお、第２タッチセンサ２１へのタッチ入力に伴う表示画面は、表示部３１に表示される構成に限定されるものではなく、例えばメータ内に設けたディスプレイに表示される構成としてもよい。この場合、運転者が運転中に第２タッチセンサ２１を操作した結果が、最小限の目線移動で視認できる。また、第１タッチセンサ１１を操作した結果が、メータ内のディスプレイに表示される構成としてもよい。
【０１６１】
また、図２１及び図２２の構成では、第１入力部１０と第２入力部２０との両方を備える構成としたが、第２入力部２０のみを備える構成としてもよい。
【０１６２】
［１−６．他の実施の形態］
上記実施の形態及び変形例１によれば、入力装置１００、１００Ａは、表示部３１を含まない構成であるとしたが、さらに、表示部３１を含む構成としてもよい。
【０１６３】
上記実施の形態におけるジェスチャの種類は、一方向のジェスチャだけでなく、Ｌ字形、往復、円形、文字などであってもよい。  なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の入力装置などを実現するソフトウェアは、次のようなプログラムである。
【０１６４】
すなわち、このプログラムは、コンピュータに、車両に配置される表示部が表示するＵＩ（Ｕｓｅｒ  Ｉｎｔｅｒｆａｃｅ）を操作するための入力を行う入力装置による入力方法であって、前記入力装置が備えるタッチセンサへのユーザによるタッチ入力が、複数本の指によるタッチであるか否か、または、複数回のタップであるか否かを判定し、前記タッチ入力が複数本の前記指によるタッチであるか、または、複数回の前記タップであると判定した場合、前記表示部の表示領域を構成する複数の領域のうち、前記指の本数、または、前記タップの回数に対応した前記領域を選択する入力方法を実行させる。
【０１６５】
以上、本発明の一つまたは複数の態様に係る入力装置及び入力方法について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【０１６６】
本発明は、ユーザが他の作業を行っている場合であっても、表示部に表示されているＵＩへの意図しない入力が認識されることを抑制することができる入力装置などとして有用である。
【符号の説明】
【０１６７】
１、１Ａ    自動車
１０    第１入力部
１１    第１タッチセンサ
１２    ダイヤルスイッチ
１３    決定スイッチ
１４    パームレスト
１５ａ    第１スイッチ
１５ｂ    第２スイッチ
１５ｃ    第３スイッチ
１６、１６Ａ    制御部
２０    第２入力部
２１    第２タッチセンサ
３０    車載機器
３１    表示部
３２    スピーカ
４０    シフトレバー
５０    ステアリング
５１    リム
５２    スポーク
５３    ホーンスイッチカバー
６０    シート
１００、１００Ａ    入力装置
２００、２００Ａ〜２００Ｊ    表示画面
２１０、２１０Ａ    第１ジェスチャガイド
２１１〜２１４    ジェスチャ
２１５〜２１８    アイコン
２１９    枠
２２０、２２０Ｂ    第２ジェスチャガイド
２２１、２２２    ジェスチャ
２２３〜２２５    アイコン
２２６    フォーカス表示
２２７    枠
２３０、２３０Ｈ、２３０Ｉ    操作画面
２３０Ｊ    ホーム画面
２３１    第１操作ガイド画面
２３２    第２操作ガイド画面
２３３    第３操作ガイド画面
２３３ａ    ステータス画面
２３４    第４操作ガイド画面
Ｒ１    第１領域
Ｒ２    第２領域
Ｒ３    第３領域
【図１】
2018097794.tif 000003
【図２】
2018097794.tif 000004
【図３】
2018097794.tif 000005
【図４】
2018097794.tif 000006
【図５】
2018097794.tif 000007
【図６】
2018097794.tif 000008
【図７】
2018097794.tif 000009
【図８】
2018097794.tif 000010
【図９】
2018097794.tif 000011
【図１０】
2018097794.tif 000012
【図１１】
2018097794.tif 000013
【図１２】
2018097794.tif 000014
【図１３】
2018097794.tif 000015
【図１４】
2018097794.tif 000016
【図１５】
2018097794.tif 000017
【図１６】
2018097794.tif 000018
【図１７】
2018097794.tif 000019
【図１８】
2018097794.tif 000020
【図１９】
2018097794.tif 000021
【図２０】
2018097794.tif 000022
【図２１】
2018097794.tif 000023
【図２２】
2018097794.tif 000024